(57)【要約】【課題】ＮＦが良好な低雑音増幅装置を提供することを目的とする。【解決手段】サーキュレータ５３の出力端子５３ｃが共通端子に接続された切替スイッチ５４と、この切替スイッチ５４の一方の端子とグランドとに挿入された無反射終端器５５と、低雑音増幅器２５の出力側に一方端が接続されるとともに、高周波信号の波長に対してほぼ１／４の長さを有した線路５６と、この線路５６の他方端に共通端子が接続されるとともに、一方の端子にグランドが接続された切替スイッチ５７とを設け、バイパス回路は、切替スイッチ５４と切替スイッチ５７との他方の端子間同士の間に接続され、制御部５９は検出回路３０から低雑音増幅器２５が故障している旨の信号を得た場合に、切替スイッチ５４、５７を共に他方の端子側へ切り替えるものである。これにより高周波信号が通過する信号ラインに切替スイッチ５４、５７が挿入されないので、信号の損失が小さくできる。【選択図】図１
2007208680.tif 000002
【特許請求の範囲】
【請求項１】
高周波信号が入力される入力端子と、この入力端子に供給された高周波信号が供給される信号経路選択手段と、この信号経路選択手段の一方の出力が供給された低雑音増幅器と、この低雑音増幅器の出力が供給される出力端子と、前記低雑音増幅器の電源端子へ駆動電圧を供給する電源回路と、この電源回路の出力が供給されて前記低雑音増幅器の故障を検出する検出回路と、この検出回路の出力と前記信号経路選択手段との間に挿入された制御部と、信号経路選択手段の他方の出力が接続されるとともに、前記低雑音増幅器と並列に接続されたバイパス回路とを備え、前記信号経路選択手段は、前記入力端子の供給された高周波信号が入力されるとともに、一方の出力が前記低雑音増幅器に供給されるサーキュレータと、このサーキュレータの他方の出力が供給されるとともに、一方の出力が前記バイパス回路の一方端に接続された切替手段と、この切替手段の他方の出力に接続された無反射終端器とを有し、前記切替手段は前記制御部からの制御信号によって前記無反射終端器と前記バイパス回路とを切り替える低雑音増幅装置。
【請求項２】
バイパス回路には、第１の切替手段が接続された接続線路と、この接続線路と直列接続されるとともに、高周波信号の波長に対してほぼ１／４の長さを有した第１の１／４波長線路と、この第１の１／４波長線路の前記接続線路側とグランドとの間に接続されるとともに、制御部より出力される制御信号に応じて前記第１の１／４波長線路とグランドとを切り替える第１の切替スイッチを有した請求項１に記載の低雑音増幅装置。
【請求項３】
接続線路は、伝送線路で形成された請求項２に記載の低雑音増幅器。
【請求項４】
伝送線路は、マイクロストリップラインとした請求項３に記載の低雑音増幅器。
【請求項５】
接続線路には、低雑音増幅器の入・出力側におけるそれぞれインピーダンスと整合する整合回路が設けられた請求項３に記載の低雑音増幅器。
【請求項６】
切替手段は、共に電子スイッチとした請求項１に記載の低雑音増幅装置。
【請求項７】
切替手段は共に機械的スイッチを用い、電源回路が非動作時には、前記機械的スイッチがバイパス回路側へ接続される請求項１に記載の低雑音増幅装置。
【請求項８】
切替手段には、サーキュレータの他方の端子とバイパス回路との間に挿入されるとともに、高周波信号の波長に対してほぼ１／４の長さを有した第２の１／４波長線路と、この第２の１／４波長線路の接続線路側とグランドとの間に接続されるとともに、制御部より出力される制御信号に応じて前記１／４波長線路とグランドとを切り替える第２の切替スイッチと、無反射終端器と直列に接続されたオン・オフスイッチとを有し、制御部は前記第２の切替スイッチと前記オン・オフスイッチとを連動して切り替える請求項１に記載の低雑音増幅装置。
【発明の詳細な説明】
【技術分野】
【０００１】
本発明は、携帯電話などの基地局に用いられる低雑音増幅装置に関するものである。
【背景技術】
【０００２】
以下、従来の低雑音増幅装置について図面を用いて説明する。図５は、携帯電話の基地局の全体説明図であり、図６は従来の低雑音増幅装置の回路ブロック図である。
【０００３】
まず図５を用いて、基地局１の全体の構成について説明する。図５において、携帯電話２から送信された送信信号３は、アンテナタワー４上に取付けられたアンテナ５で受信される。このアンテナ５で受信された送信信号は塔頂基地局受信部６へ入力され、不要な周波数信号が除去され、必要な希望信号が増幅されて、出力端子６ａから出力される。
【０００４】
一方地上に設置された基地局建屋７の中に地上基地局受信部８が収納されている。そしてアンテナ５で受信した送信信号３は、塔頂基地局受信部６の出力端子６ａから同軸ケーブル９を介して地上基地局受信部８へと供給される。また、基地局建屋７からケーブル１０を介して塔頂基地局受信部６の電力端子６ｂに対して電力が供給されることで、塔頂基地局受信部６が稼動する。
【０００５】
このような基地局１は数ｋｍから数十ｋｍの間隔で配置されており、それら数十箇所の基地局１の管理を基地局管理センター１１が行っている。それぞれの基地局１と基地局管理センター１１との間は、大容量の光ケーブル１２によって接続されている。そして、基地局１を構成する機器には自己の故障を判定する機能が付加されており、故障と判定した場合に各機器が故障信号を出力する。そして、この故障信号を受け取った地上基地局受信装置８は、光ケーブル１２を介して、その情報を基地局管理センター１１の集中管理装置１３へと送信する。これを受け取った集中管理装置１３は、表示装置１３ａで故障している旨の表示を行う。この表示によって、ある基地局１が故障したことが判ると、整備者がその故障した基地局１を修理のために向かうこととなる。
【０００６】
次に従来の塔頂基地局受信部６について図面を用いて説明する。図６は従来の塔頂基地局受信部６の回路ブロック図である。図６において、従来の塔頂基地局受信部６は、バンドパスフィルタ２１と低雑音増幅装置２２とを含んでいる。
【０００７】
低雑音増幅装置２２においてバンドパスフィルタ２１の出力は、入力端子２２ａへ接続される。この入力端子２２ａに入力された送信信号３は、入力整合回路２３へ入力される。この入力整合回路２３の出力は、切替スイッチ２４の共通端子へ供給される。そしてこの切替スイッチ２４の一方の出力端子には低雑音増幅器２５が接続されている。この低雑音増幅器２５で増幅された送信信号３は、切替スイッチ２６の一方の端子へ接続される。ここで、切替スイッチ２４の他方の端子と切替スイッチ２６の他方の端子との間はマイクロストリップライン２７によって接続されている。切替スイッチ２６の共通端子は、出力整合回路２８を介して出力端子２２ｂから図５の同軸ケーブル９へと出力される。
【０００８】
低雑音増幅器２５の電源端子には、電源回路２９が接続されている。この電源回路２９には、ケーブル１０から電源入力端子２２ｃを介して電力が供給されている。そして電源回路２９の出力は検出回路３０へ供給され、この検出回路３０で電源回路２９から出力された電流値を検出している。検出回路３０の出力と双方の切替スイッチ２４、２６との間には制御部３１が挿入されている。
【０００９】
このように構成された低雑音増幅装置２２の動作について説明する。低雑音増幅器２５が正常に動作している状態においては、電源回路２９から低雑音増幅器２５に対して規定の電流が流れる。そして検出回路３０では、この電流値を検知する。つまり低雑音増幅器２５が正常に動作している場合、電源回路２９から入力した電流値（あるいは電圧）の方が基準電流（あるいは電圧）値よりも大きくなり、制御部３１に対して正常に動作している旨の信号を出力する。そしてこの信号を受け取った制御部３１は、切替スイッチ２４と切替スイッチ２６とを共に低雑音増幅器２５へと接続する。
【００１０】
一方、低雑音増幅器２５が故障している状態では、検出回路３０へ入力される電源回路２９の電流は略０Ｖとなるので、規定の閾値以下となる。これにより、検出回路３０から低雑音増幅器２５が故障している旨の信号が出力される。この故障している旨の信号を受け取った制御部３１は、切替スイッチ２４と切替スイッチ２６とをマイクロストリップライン２７側へと切り替える。
【００１１】
このようにすることにより、低雑音増幅器２５の破壊などが起こっても、送信信号３はマイクロストリップライン２７側を経由して地上基地局受信部８へ供給されることとなり、通信回線が全く遮断されてしまわない。
【００１２】
なお、この出願の発明に関連する先行技術文献情報としては、例えば、特許文献１が知られている。
【特許文献１】特開２０００−０３１７５２号公報
【発明の開示】
【発明が解決しようとする課題】
【００１３】
しかしながらこのような従来の低雑音増幅装置２２では、送信信号３が通過する信号ラインに対して、切替スイッチ２４が挿入されているので、低雑音増幅器２５が正常稼動の状態において、切替スイッチ２４によって約０．６ｄＢの挿入損失が発生し、ＮＦが悪化するという課題を有している。
【００１４】
そこで本発明は、この問題を解決したもので、低雑音増幅器が正常稼動の状態において、ＮＦが良好な低雑音増幅装置を提供することを目的としたものである。
【課題を解決するための手段】
【００１５】
この目的を達成するために本発明の低雑音増幅装置における切替手段には、サーキュレータの他方の端子がその共通端子に接続された第１のスイッチと、この第１のスイッチの一方の端子とグランドとに挿入された無反射終端器と、前記低雑音増幅器の出力側に一方端が接続されるとともに、高周波信号の波長に対してほぼ１／４の長さを有した線路と、この線路の他方端にその共通端子が接続されるとともに、その一方の端子にグランドが接続された第２のスイッチとを設け、バイパス回路は、前記第１と第２のスイッチにおける他方の端子間同士の間に接続され、制御部は検出回路から低雑音増幅器が故障している旨の信号を得た場合に、前記第１と第２のスイッチを他方の端子側へ切り替えるものである。これにより所期の目的を達成できるものである。
【発明の効果】
【００１６】
以上のように本発明は、高周波信号が入力される入力端子と、この入力端子に入力された信号が供給されるサーキュレータと、このサーキュレータの一方の出力が供給される低雑音増幅器と、この低雑音増幅器の出力が供給される出力端子と、前記低雑音増幅器の電源端子へ駆動電圧を供給する電源回路と、この電源回路の出力が供給されて前記低雑音増幅器の故障を検出する検出回路と、この検出回路の出力が接続された制御部と、前記サーキュレータの他方の端子と前記出力端子との間に設けられたバイパス回路と、このバイパス回路を前記低雑音増幅器の入力側と出力側との間に選択的に挿入するために、前記制御部の出力に接続された切替手段とを備え、前記切替手段には、サーキュレータの他方の端子がその共通端子に接続された第１のスイッチと、この第１のスイッチの一方の端子とグランドとに挿入された無反射終端器と、前記低雑音増幅器の出力側に一方端が接続されるとともに、前記高周波信号の波長に対してほぼ１／４の長さを有した線路と、この線路の他方端にその共通端子が接続されるとともに、その一方の端子にグランドが接続された第２のスイッチとを設け、前記バイパス回路は、前記第１と第２のスイッチにおける他方の端子間同士の間に接続され、前記制御部は前記検出回路から前記低雑音増幅器が故障している旨の信号を得た場合に、前記第１と第２のスイッチを他方の端子側へ切り替える低雑音増幅装置を特徴としている。
【００１７】
これにより低雑音増幅器が正常に動作している状態においては、高周波信号が通過する信号ラインに第１や第２のスイッチが挿入されないので、ロスが小さくなり、ＮＦは良好となる。
【００１８】
また、低雑音増幅器が正常に動作している状態において、サーキュレータの他方の端子とグランドとの間には、無反射終端器が挿入され、また低雑音増幅器の出力側に対して信号ラインとグランドとの間に高周波信号の波長の１／４の長さの線路が挿入されるので、受信する高周波信号に対してインピーダンスが大きくなり、実質的にオープンであるのと同じ状態となる。これにより第１あるいは第２のスイッチによる低雑音増幅器の入出力インピーダンスに対しての影響を小さくできるとともに、信号がグランド側へ落ち難くなるので、受信した高周波信号の損失も少なくできる。
【００１９】
さらに、サーキュレータの他方の端子とグランドとの間には、無反射終端器が挿入されるので、実質的なオープン状態となり、インピーダンスが高い状態であるので、線路側に流れる高周波信号は小さくなり、たとえ第１のスイッチのアイソレーションが悪くても異常発振などを起こし難くできる。
【００２０】
さらにまた、低雑音増幅器の出力側において、信号ラインとグランドとの間に高周波信号の波長の１／４の長さの線路が挿入され、インピーダンスが高い状態であるので、線路側に流れる高周波信号は小さくなり、たとえ第２のスイッチのアイソレーションが悪くても異常発振などを起こし難くできる。
【発明を実施するための最良の形態】
【００２１】
（実施の形態１）
以下、本実施の形態の塔頂基地局受信部５１について図面を用いて説明する。図１は、本実施の形態における塔頂基地局受信部５１の回路ブロック図である。図１において、アンテナ５は図５と同様携帯電話２から送信された約１．９ＧＨｚの周波数の高周波信号を受信する。このアンテナ５で受信した高周波信号はバンドパスフィルタ２１を通過させることで、携帯電話２の送信で使用する周波数以外の周波数信号を抑圧する。
【００２２】
バンドパスフィルタ２１の出力は、低雑音増幅装置５２の入力端子５２ａへ接続される。入力端子５２ａに供給された図５の送信信号３は、サーキュレータ５３の入力５３ａへ供給される。このサーキュレータ５３は、出力端子５３ｂと出力端子５３ｃとを有し、どちらか一方の端子がオープン状態となった場合に、他方の端子側から出力が出力されるものである。そこで本実施の形態においては、低雑音増幅器２５が破壊すると出力端子５３ｂ側がオープン状態となることに着目し、サーキュレータ５３は低雑音増幅器２５が破壊した場合に送信信号３を出力端子５３ｃ側より出力させる動作を行わせている。そして送信信号３が、破壊した低雑音増幅器２５を迂回して出力端子５２ｂへ供給するような構成としたために、サーキュレータ５３の出力端子５３ｃと出力整合回路２８との間にバイパス回路５０と切替スイッチ５４（切替手段の一例として用いた）を付加し、低雑音増幅器２５が破壊している場合に、このバイパス回路５０を介して図５の送信信号３を地上基地局受信部８へ供給するものである。このようにすることにより、たとえ低雑音増幅器２５が破壊した場合においても送信信号３を地上基地局受信部８へ供給できるので、低雑音増幅器２５が破壊しても通話が可能となる。
【００２３】
では、この低雑音増幅装置５２について詳細に説明する。サーキュレータ５３の出力端子５３ｂの出力は、入力整合回路２３へ供給される。この入力整合回路２３は、この低雑音増幅装置５２のインピーダンスと入力端子５２ａからバンドパスフィルタ２１側を見たときのインピーダンスとを整合させるものである。
【００２４】
入力整合回路２３の出力は、低雑音増幅器２５へ供給される。この低雑音増幅器２５は、入力した微弱な送信信号３を約３０ｄＢから４０ｄＢ増幅するものである。従って、この低雑音増幅装置５２の所要ＮＦは、２．５ｄＢ以上必要となる。つまり低雑音増幅装置５２において送信信号３の損失をできる限り小さくすることが重要であり、特に低雑音増幅器２５の前での損失を抑えることが重要となる。
【００２５】
低雑音増幅器２５の出力は出力整合回路２８へ接続される。この出力整合回路２８は、この低雑音増幅装置５２のインピーダンスと出力端子５２ｂから同軸ケーブル９側を見た場合のインピーダンスとを整合するものである。そしてこの出力整合回路２８の出力が、出力端子５２ｂから出力され、図５の同軸ケーブル９を介して地上基地局受信部８へと供給される。
【００２６】
一方基地局建屋７からケーブル１０を介して低雑音増幅装置５２の電力端子５２ｃに対して電力が供給される。電源回路２９は、入力した電力を所定の電圧へと変換し、低雑音増幅器２５や制御部５９などへ供給する。検出回路３０は、電源回路２９と低雑音増幅器２５の電源端子２５ａとの間に挿入されている。本実施の形態における検出回路３０は、電源回路２９から低雑音増幅器２５へ加わる電流を検出している。
【００２７】
サーキュレータ５３の出力端子５３ｃには、切替スイッチ５４の共通端子が接続される。そして、切替スイッチ５４の一方の端子とグランドとの間には、無反射終端器５５が挿入されている。
【００２８】
次にバイパス回路５０について詳細に説明する。低雑音増幅器２５の出力側には、送信信号３の周波数の波長に対し１／４の長さを有した線路５６の一方端が接続され、この線路５６の他方端には、切替スイッチ５７の共通端子が接続される。そしてこの切替スイッチ５７の一方の端子がグランドへ接地されている。これにより、切替スイッチ５７が一方の端子側へ切替えられたときに、ショートスタブとして動作することとなり、送信信号３の周波数に対してオープンと同じ状態となる。そして切替スイッチ５４と切替スイッチ５７との他方の端子間同士には、５０オームのマイクロストリップライン５８（接続線路の一例として用いた）が挿入されている。
【００２９】
そしてこれらの切替スイッチ５４、切替スイッチ５７の切替制御端子には、制御部５９の出力が接続される。これにより制御部５９は低雑音増幅器２５の故障の有無に応じて切替スイッチ５４、切替スイッチ５７を連動して切り替える。なお、本実施の形態におけるバイパス回路として、マイクロストリップライン５８を用いたが、これは伝送線路の一例として用いたものであり、他の方式の伝送線路を用いても良い。
【００３０】
なおこの制御部５９の出力は警告手段へ接続されている。本実施の形態においては警告手段として、ＬＥＤ６０を用いている。制御部５９は低雑音増幅器２５が正常に動作していると判定した場合にＬＥＤ６０を点灯させ、故障していると判定した場合にＬＥＤ６０を消す。なお、電源回路２９の故障やケーブル１０から電源が供給されなくなった場合にも、ＬＥＤ６０が消灯されることとなる。
【００３１】
図２は、本実施の形態における検出回路の回路図である。図２において、検出回路３０には、電源回路２９と電源端子２５ａとの間に微小な抵抗値の抵抗７１が挿入される。そしてこの抵抗７１の両端での電圧差を比較器７２で比較する。つまり低雑音増幅器２５が完全に破壊した場合、電源回路２９と電源端子２５ａとの間には電流が流れない。従って抵抗７１の両端での電位差は０Ｖとなるので、このときに例えばハイ信号を出すようにすることで、低雑音増幅器２５の故障を検出できる。
【００３２】
なお、本実施の形態では、抵抗７１の両端とグランドとの間のそれぞれに分圧抵抗７３ａ、７３ｂと抵抗７４ａ、７４ｂを設けている。そして低雑音増幅器２５が正常に動作している状態では、比較器７２の入力７２ａの方が入力７２ｂよりも低い電圧としている。そしてこのときにはローが出力されるようにしている。このようにすることによって、例えば低雑音増幅装置５２でのショートなどが発生した場合に、過電流保護もすることができる。つまり、過電流が流れると抵抗７１の両端間での電圧が高くなり、比較器７２の入力７２ａと入力７２ｂとの電圧が逆転する。これによって、比較器７２がローを出力する。
【００３３】
以上の構成によって、切替スイッチ５４、切替スイッチ５７が、信号ラインに挿入されないので、送信信号３の損失は小さくなる。従って、ＮＦの良好な低雑音増幅装置５２を実現できる。
【００３４】
また、制御部５９は低雑音増幅器２５が正常に動作しているのか、故障しているのかを判定し、正常に動作していると判定した場合には、切替スイッチ５４、切替スイッチ５７を共にグランド側へ接続する。つまり、サーキュレータ５３の出力端子５３ｃとグランドとの間には無反射終端器５５が挿入される。これにより、送信信号３の周波数に対してサーキュレータ５３の出力端子５３ｃ側のインピーダンスが高くなり、送信信号３に対して出力端子５３ｃ側がオープン状態とほぼ同じ状態となり、送信信号３は出力端子５３ｃ側へ流れ込み難くなる。また、一方低雑音増幅器２５の出力側とグランドとの間には、送信信号３の周波数の波長に対して１／４の長さの線路５６が挿入されることとなる。これにより線路５６はショートスタブとして動作し、送信信号３に対して線路５６側がオープン状態とほぼ同じ状態となり、送信信号３は線路５６側へ流れ込み難くなる。従って信号の損失が少なくできることとなるので、ＮＦの良好な低雑音増幅装置５２を実現できる。
【００３５】
さらに、サーキュレータ５３の出力端子５３ｃとグランドとの間に挿入される無反射終端器５５によって、インピーダンスは５０オームが維持され、出力端子５３ｃ側に送信信号３は流れ難くなる。従って、このサーキュレータ５３によるロスを小さくでき、またたとえ切替スイッチ５４や切替スイッチ５７のアイソレーションが悪くても異常発振などを起こし難くできる。低雑音増幅器２５の出力側において、信号ラインにはショートスタブが接続されることとなるので、送信信号３に対して線路５６側がオープン状態となる。これにより、送信信号３は線路５６側へ流れ難くなり、たとえ切替スイッチ５７のアイソレーションが悪くても異常発振などを起こし難くできる。つまり切替スイッチ５４は高周波的なアイソレーションが悪くても良いので、低価格なスイッチを用いることができ、低価格な低雑音増幅装置５２を実現できる。
【００３６】
さらにまた制御部５９は、低雑音増幅器２５が正常に動作していない（破壊やショート）と判定し、電源回路２９や低雑音増幅器２５に供給する電力を遮断する。また、制御部５９は、故障と判定した場合には、電源回路２９を停止させる。これにより、過電流によって過熱し、発火するようなことを防止できる。また不要な電力消費がないので、省電力である。
【００３７】
なお、本実施の形態ではマイクロストリップライン５８を用いたが、これはインダクタとコンデンサなどで構成した整合回路としても良い。この場合低雑音増幅器２５が壊れた状態における低雑音増幅器２５の入力側と出力側のそれぞれのインピーダンス値に応じて整合させることができる。
【００３８】
また、本実施の形態において切替スイッチ５４、切替スイッチ５７には電子スイッチを用いたが、これはリレーなどの機構スイッチを用いても良い。図３は切替スイッチ５４、切替スイッチ５７に代えて、機構スイッチを用いた場合の低雑音増幅装置５２の回路ブロック図である。なお図３において図１と同じものは同じ番号を用いて、その説明は簡略化している。
【００３９】
図３において、図１と異なっている点は切替スイッチ５４、切替スイッチ５７に代えてリレー８１（切替手段の他の例として用いた）、リレー８２（切替スイッチの他の例として用いた）を用いている点である。そしてこのリレー８１、８２の電源端子８１ａ、８２ａには電力端子５２ｃの電力が供給され、グランド端子８１ｂ、８２ｂはトランジスタ８３、８４のコレクタに接続される。これらのトランジスタ８３、８４のエミッタ端子はグランドへと接続される。そして、制御部５９の出力が、トランジスタ８３、８４のゲート端子へ供給される。
【００４０】
リレー８１の共通端子には、サーキュレータ５３の出力端子５３ｃに接続され、リレー８２の共通端子には線路５６が接続される。またこれらリレー８１の一方の端子とグランドとの間には無反射終端器５５が挿入される。一方リレー８２の一方の端子はグランドへ接続される。そしてリレー８１とリレー８２の他方の端子同士の間にマイクロストリップライン５８が挿入される。
【００４１】
このような構成の場合、リレー８１、８２へ電力端子５２ｃから電力が供給され、かつトランジスタ８３、８４のゲート電圧がオンである場合にのみリレー８１、８２のコイルへ電流が流れて、リレー８１、８２がオンとなり、グランド側接点に接続される。しかしながら、リレー８１、８２へ電力端子５２ｃから電力が供給されない場合、あるいはトランジスタ８３、８４のゲート電圧がオフである場合には、リレー８１、８２のコイルに電流が流れずリレー８１、８２はオフとなり、マイクロストリップライン５８側接点に接続される。
【００４２】
このような構成により電源回路２９を駆動するための電力自体が供給されないような事態で低雑音増幅装置５２が動作しなくなった場合においても、バイパス回路へ切り替えて使用することができる。
【００４３】
（実施の形態２）
以下本実施の形態について図面を用いて説明する。図４は本実施の形態における低雑音増幅装置９０の回路ブロック図である。図４において図１と同じものは同じ番号を用いてその説明は簡略化している。本実施の形態では切替手段や切替スイッチとして、ダイオードによるオン・オフスイッチ９１、９２、９３を用いたものである。
【００４４】
最初に本実施の形態におけるバイパス回路９４について説明する。一方が低雑音増幅器２５の出力に接続された１／４波長線路５６の他方端とグランドとの間にはオン・オフスイッチ９３が挿入される。また１／４波長線路５６と直列に直流カット用コンデンサ９５を有した接続線路９６を有している。
【００４５】
ここで制御部５９の出力は、線路５６の一方端側に接続され、制御信号はこの線路５６を介してオン・オフスイッチ９３へ供給される。そして、線路５６の一方端と制御部５９との間にも、送信信号３の波長の１／４の長さを有した線路９７が挿入される。そして、この線路９７の制御部５９側は、直流カット用コンデンサを介してグランドへ接続されることにより、ショートスタブが構成される。これにより、バイパス回路９４側から制御部５９を見た場合に、入力された高周波信号に対して制御部５９側がオープン状態となり、制御部５９との接続線による高周波信号のロスを小さくできる。
【００４６】
次に本実施の形態における切替手段９８について説明する。サーキュレータ５３の出力端子５３ｃと接続線路９６との間には、送信信号３の波長に対して１／４の長さの線路９９が挿入される。この線路９９の接続線路９６側とグランドとの間にはオン・オフスイッチ９２が挿入される。また、サーキュレータ５３の出力端子５３ｃと無反射終端器５５との間には、オン・オフスイッチ９１が挿入される。
【００４７】
ここで制御部５９の出力は、線路９９のサーキュレータ５３側端に接続され、制御信号はこの線路９９を介してオン・オフスイッチ９２へ供給される。そして、線路９９のサーキュレータ５３側端と制御部５９との間にも、送信信号３の波長の１／４の長さを有した線路１００が挿入される。そして、この線路１００の制御部５９側は、直流カット用コンデンサを介してグランドへ接続されることにより、ショートスタブが構成される。これにより、切替手段９８側から制御部５９を見た場合に、入力された高周波信号に対して制御部５９側がオープン状態となり、制御部５９との接続線による高周波信号のロスを小さくできる。
【００４８】
なお図４において示したコンデンサは、全て直流カット用のコンデンサであるが、これらはその一例を示したものに過ぎず、直流カット用コンデンサの位置はこれらの箇所に限られるものではない。
【００４９】
では、このように構成された低雑音増幅装置９０の動作について以下、詳細に説明する。本実施の形態において、低雑音増幅装置９０が正常に動作している場合には、制御部５９はハイの制御信号を出力する。この制御信号によって、オン・オフスイッチ９１、９２、９３全てが連動してオンとなる。これにより、サーキュレータ５３の出力端子５３ｃとグランドとの間には無反射終端器５５が挿入され、サーキュレータ５３の出力端子５３ｃは５０オームに維持される。従って、入力端子５２ａから入力された送信信号３はサーキュレータ５３の出力端子５３ｃ側へ流れ難くなり、送信信号３は小さな損失で低雑音増幅器２５側へと供給されることとなる。
【００５０】
さらに、オン・オフスイッチ９２がオンとなることで、サーキュレータ５３の出力端子５３ｃに線路９９によるショートスタブが接続された構成となる。これにより、サーキュレータ５３側からバイパス回路９４がオープン状態となるので、送信信号３はバイパス回路９４へ流れ込み難くなる。
【００５１】
一方、検出回路３０が低雑音増幅器２５や電源回路２９の不具合を検出した場合あるいは、電源回路自体に電源が供給されていない状態において、制御部５９から出力される制御信号はローとなる。この制御信号によって、オン・オフスイッチ９１、９２、９３全てが連動してオフとなり、サーキュレータ５３と低雑音増幅器２５の出力側との間にバイパス回路９４が挿入される。これにより低雑音増幅器２５が故障などで動作しない状態では、送信信号３は低雑音増幅器２５を迂回し、バイパス回路９４側を経由して出力端子５２ｂから出力される。
【００５２】
以上のような構成により、電源回路２９を駆動するための電力自体が供給されないような事態で低雑音増幅装置９０が動作しなくなった場合においても、バイパス回路へ切り替えて使用することができる。
【産業上の利用可能性】
【００５３】
本発明にかかる低雑音増幅装置は、良好なＮＦを得るという効果を有し、携帯電話などの基地局用の低雑音増幅装置等に用いると有用である。
【図面の簡単な説明】
【００５４】
【図１】本発明の実施の形態１における低雑音増幅装置の回路ブロック図
【図２】同、検出回路の回路図
【図３】同、切替スイッチに機構スイッチを用いた場合の低雑音増幅装置の回路ブロック図
【図４】本発明の実施の形態２における低雑音増幅装置の回路ブロック図
【図５】従来の低雑音増幅装置の回路ブロック図
【図６】基地局の概要図
【符号の説明】
【００５５】
２９  電源回路
３０  検出回路
５０  バイパス回路
５２ａ  入力端子
５２ｂ  出力端子
５２ｃ  電力端子
５３  サーキュレータ
５３ｂ  出力端子
５３ｃ  出力端子
５４  スイッチ
５５  無反射終端器
５６  線路
５７  スイッチ
５８  マイクロストリップライン
５９  制御部
【図１】
2007208680.tif 000003
【図２】
2007208680.tif 000004
【図３】
2007208680.tif 000005
【図４】
2007208680.tif 000006
【図５】
2007208680.tif 000007
【図６】
2007208680.tif 000008